【手続補正書】
【提出日】平成18年9月8日(2006.9.8)
【手続補正１】
【補正対象書類名】明細書
【補正対象項目名】特許請求の範囲
【補正方法】変更
【補正の内容】
【特許請求の範囲】
【請求項１】
少なくとも表側のシート部材が延伸フィルム層を含む表裏一対のシート部材の周縁部を接合してなり、内部に香料を含浸した担体が封入され、前記表側のシート部材を切り裂いて揮発開口を形成することにより数時間〜１週間程度の短期間の使用に供される、掌に納まる大きさの扁平な形状の香料袋であって、
前記表側のシート部材の周縁部から前記延伸フィルム層の延伸方向外側に突出して、前記表側のシート部材と一体として形成された切り裂き用摘み部が設けられ、
裏側のシート部材の周縁部から押さえ用摘み部が突出して形成され、
前記切り裂き用摘み部と前記押さえ用摘み部が異なる形状で互いに重なり合って設けられている香料袋。
【請求項２】
前記切り裂き用摘み部を引き裂いて前記表側のシート部材に揮発開口を形成する際に、層間剥離層の部分で剥離されて、揮発物透過性フィルムが残置される請求項１記載の香料袋。
【手続補正２】
【補正対象書類名】明細書
【補正対象項目名】０００５
【補正方法】変更
【補正の内容】
【０００５】
【課題を解決するための手段】
本発明は、少なくとも表側のシート部材が延伸フィルム層を含む表裏一対のシート部材の周縁部を接合してなり、内部に香料を含浸した担体が封入され、前記表側のシート部材を切り裂いて揮発開口を形成することにより数時間〜１週間程度の短期間の使用に供される、掌に納まる大きさの扁平な形状の香料袋であって、前記表側のシート部材の周縁部から前記延伸フィルム層の延伸方向外側に突出して、前記表側のシート部材と一体として形成された切り裂き用摘み部が設けられ、裏側のシート部材の周縁部から押さえ用摘み部が突出して形成され、前記切り裂き用摘み部と前記押さえ用摘み部が異なる形状で互いに重なり合って設けられている香料袋を提供することにより、上記目的を達成したものである。
【手続補正３】
【補正対象書類名】明細書
【補正対象項目名】０００７
【補正方法】変更
【補正の内容】
【０００７】
【発明の実施の形態】
図１及び図２に示す本発明の参考例に係る香料袋１０は、表裏一対のリンゴ形状のシート部材１１，１１の周縁部１２を接合して形成される、掌に納まる大きさの扁平な形状のコンパクトな香料袋であって、内部に香料を含浸した担体１４が封入されている。表裏一対のシート部材１１，１１は、いずれも延伸フィルム層を含み、揮散開口１３を形成すべき表側のシート部材１１（各図の表面側のシート部材）を切り裂いて開封することにより、香料を揮散させて数時間〜１週間程度の短期間の使用に供される。また、リンゴ形状の茎部には、周縁部１２から延伸フィルム層の延伸方向外側に突出して、表側のシート部材１１と一体として形成された摘み部１５が設けられている。
【手続補正４】
【補正対象書類名】明細書
【補正対象項目名】００１０
【補正方法】変更
【補正の内容】
【００１０】
本参考例によれば、表裏一対のシート部材１１，１１のうち、表側のシート部材１１のみから突出して、当該表側のシート部材１１と一体となった摘み部１５が形成されている。この摘み部１５は、指で摘み易い大きさである長さ１５ｍｍ，幅１０ｍｍの大きさを有し、また、リンゴ形状の中央の対称軸に沿った茎部として、周縁部１２から上方に向けて突出していることにより、その突出方向が、表側のシート部材１１に含まれる強延伸ポリエチレンテレフタレートフィルムの延伸方向と一致する。
【手続補正５】
【補正対象書類名】明細書
【補正対象項目名】００１１
【補正方法】変更
【補正の内容】
【００１１】
本参考例の香料袋１０によれば、未使用時においては、担体１４に含浸された香料は、特に揮発遮断層により揮散が遮断された状態で香料袋１０の内部に密封される。香料袋１０を開封して使用する際には、摘み部１５を指で摘み、周縁部１４と交差して強延伸ポリエチレンテレフタレートフィルムの延伸方向である図１の下方に向かって引き裂くことにより、図２に示すように、表側のシート部材１１の中央を横断して、直線状の揮発開口１３が形成される。強延伸ポリエチレンテレフタレートフィルムは延伸方向に切り裂かれ易いので、摘み部１５を下方に引くことにより、揮発開口１３を直線状にきれいに形成することができる。
【手続補正６】
【補正対象書類名】明細書
【補正対象項目名】００１２
【補正方法】変更
【補正の内容】
【００１２】
本参考例によれば、表側のシート部材１１から突出する摘み部１５が形成されていることにより、開封部分を判別し易く、暗所において香料袋１０を使用する場合でも、摘み部１５を摘んで表側のシート部材１１を切り裂くことにより、摘み部１５の幅に応じた所望の大きさの揮散開口１３を容易に開口形成し、短時間の使用に速やかに供することができる。また、摘み部１５は、表側のシート部材１１にのみ設けられているので、摘み部１５によって表側のシート部材１１を切り裂いた後は、図２に示すように周縁部１４から突出する部分は残らないので、すっきりした形状で使用に供することが可能になる。
【手続補正７】
【補正対象書類名】明細書
【補正対象項目名】００１４
【補正方法】変更
【補正の内容】
【００１４】
なお、摘み部１５のシートを、アルミフィルムと、延伸ポリプロピレン（層間剥離タイプ）と、シーラント層の直鎖低密度ポリスチレンと、最外層の強延伸ポリエチレンテレフタレートフィルムとによって構成すれば、摘み部１５を引き裂いて揮発開口１３を形成する際に、層間剥離層の部分で剥離されて延伸ポリプロピレンと最内層の揮発物透過性フィルムが揮発開口１３を覆って残置されることになり、液体香料を含浸した担体１４がむき出しになるのを防止して、手や物に直接香料が付くのを防ぎ、ポケットやハンドバックの中に入れておくことを可能にする。また揮発物透過性フィルムの種類を変えることにより、揮発量のコントロールをすることも可能になる。
【手続補正８】
【補正対象書類名】明細書
【補正対象項目名】００１５
【補正方法】変更
【補正の内容】
【００１５】
図３は、本発明の実施形態に係る香料袋２０を示すものである。この実施形態によれば、リンゴ形状の中央の対称軸に沿った茎部において、表側のシート部材１１からは、長さ１０ｍｍ，幅８ｍｍの大きさの矩形形状の切り裂き用摘み部２１が、裏側のシート部材１１からは、長さ１５ｍｍ，幅１２ｍｍの大きさの、切り裂き用摘み部２１より大きな矩形形状の押さえ用摘み部２２が、周縁部１２から上方に向けて突出して各々設けられている。切り裂き用摘み部２１及び押さえ用摘み部２２は、茎部において異なる形状（大きさ）で互いに重なり合っていることにより、切り裂き用摘み部２１を更に容易に判別することが可能になる。すなわち、各シート部材１１，１１の表面は各種の模様や着色が施されている一方で、各シート部材１１，１１の裏面は着色等が施されていない素地の色のままなので、重なり合ったこれらの用摘み部２１，２２の形状（大きさ）が異なる場合には、これらの色の相違や形状の相違によって、切り裂き用摘み部２１をさらに確実に判別することができ、これによって所望の大きさの香料の揮散開口をさらに容易に形成することが可能になる。
【手続補正９】
【補正対象書類名】明細書
【補正対象項目名】００１７
【補正方法】変更
【補正の内容】
【００１７】
本発明は上記実施形態に限定されない。例えば、表裏一対のシート部材は必ずしも双方が延伸フィルム層を含むシート部材である必要はなく、切り裂かれる表側のシート部材のみが延伸フィルム層を含むものであれば良い。また、シート部材は、必ずしも左右対称な形状である必要はなく、摘み部は、必ずしもシート部材の中央から突出するものである必要はない。
【手続補正１０】
【補正対象書類名】明細書
【補正対象項目名】図面の簡単な説明
【補正方法】変更
【補正の内容】
【図面の簡単な説明】
【図１】
本発明の参考例に係る香料袋を示す正面図である。
【図２】
本発明の参考例に係る香料袋の開封状態を示す正面である。
【図３】
本発明の一実施形態に係る香料袋を示す正面図である。
【符号の説明】
１０，２０ 香料袋
１１ シート部材
１２ 周縁部
１３ 揮散開口
１４ 担体
１５ 摘み部
１６ 担体収容部
２１ 切り裂き用摘み部
２２ 押さえ用摘み部
２３ 基端部切り込み